(57)【要約】【課題】開口に挿入された状態を効果的に維持することができる栓体を提供する。【解決手段】開口を閉塞する栓体であって、開口に挿入される先端部及び開口の外側に配置される基端部を有する弾性材料からなる栓本体を備えており、前記栓本体は、前記基端部から前記先端部に向かって先細となる円錐台状に形成されており、前記基端部から前記先端部側に向かって伸びる孔部を備えることを特徴とする栓体。【選択図】図１
2017203484.tif 000002
【特許請求の範囲】
【請求項１】
開口を閉塞する栓体であって、
開口に挿入される先端部及び開口の外側に配置される基端部を有する弾性材料からなる栓本体を備えており、
前記栓本体は、前記基端部から前記先端部に向かって先細となる円錐台状に形成されており、
前記基端部から前記先端部側に向かって伸びる孔部を備えることを特徴とする栓体。
【請求項２】
開口を閉塞する栓体であって、
開口に挿入される先端部及び開口の外側に配置される基端部を有する弾性材料からなる栓本体を備えており、
前記栓本体は、前記基端部から前記先端部に向かって先細となる円錐台状に形成されており、
前記先端部から前記基端部側に向かって伸びる孔部を備えることを特徴とする栓体。
【請求項３】
前記孔部は、前記先端部側から前記基端部側に向かうに従い、拡径していることを特徴とする請求項１又は２に記載の栓体。
【請求項４】
前記栓本体の外表面には、ざらつき模様が形成されていることを特徴とする請求項１から請求項３のいずれかに記載の栓体。
【請求項５】
前記栓本体の外表面は、前記基端部側から前記先端部側に向かって凹凸が繰り返される波型形状を有していることを特徴とする請求項１から請求項４のいずれかに記載の栓体。
【請求項６】
前記栓本体は、前記基端部から前記先端部に向かって段階的に縮径して構成されることを特徴とする請求項１から請求項５いずれかに記載の栓体。
【請求項７】
前記孔部の内周面は、前記基端部側から前記先端部側に向かって凹凸が繰り返される波型形状を有していることを特徴とする請求項１から請求項６いずれかに記載の栓体。
【請求項８】
前記栓本体の前記基端部は、手指をひっかける操作用の鍔部を備えており、前記鍔部は、前記基端部から前記先端部に向かう方向に対して直交する方向に突出して形成されていることを特徴とする請求項１から請求項７いずれかに記載の栓体。
【発明の詳細な説明】
【技術分野】
【０００１】
本発明は、栓体に関する。
【背景技術】
【０００２】
従来から、パワーショベルやフォークリフト等の建設用機械や、プレス機、加圧装置、荷物用エレベーター等において、油圧システムが使用されている。この油圧システムは、操作の動力として油圧を用いるものであり、油圧ポンプで作った高圧の流体を油圧ホースで送り出し、所定の場所に設置されたピストンや油圧モーター（一般的にはアクチュエーターと総称する）で仕事を行う動力方式である。
【０００３】
このような油圧システムにおいては、使用される油圧ホースの経年劣化や、使用時に何らかの物体が油圧ホースに接触することにより、その一部に裂け目や穴といった損傷部が発生する場合があり、高圧の流体（油）が油圧ホース外に飛散するおそれがある。このような油の飛散を防止するために、定期的に油圧ホースの外観点検が行われ、油圧ホースの外表面等に損傷が確認された場合には油圧ホースの交換が行われる。
【０００４】
油圧ホースの交換に際しては、油圧ホースを建設用機械やプレス機といった機械装置から取り外した後、機械装置側の油圧ホース取付部の開口から油が漏れ出ないようにするために、また、異物混入を防止するために、例えば、図１０に示すような円錐台状の形態を有する栓体１００を開口に差し込むことが行われる。この図１０に示す栓体１００は、例えばゴム等の弾性部材から形成されており、開口に差し込まれていくに従い弾性変形することにより、栓体の外表面と開口の内周面と間で良好なシール状態を確保し、機械装置側から油が漏れ出ることを抑制するものである。
【発明の概要】
【発明が解決しようとする課題】
【０００５】
しかしながら、従来の栓体を使用して機械装置側の油圧ホース取付部の開口を閉塞する場合、栓体の表面に付着する油の影響によって、栓体が自然と開口から抜け出てしまうという問題があった。また、機械装置側の開口が斜め下側を向いているような場合、栓体は斜め上方に向けて開口に差し込む必要があり、このような場合には、栓体の自重の影響も付加され、栓体が開口からより一層簡単に抜け出てしまうという問題があった。
【０００６】
本発明は、このような問題を解決すべくなされたものであって、開口に挿入された状態を効果的に維持することができる栓体を提供することを目的とする。
【課題を解決するための手段】
【０００７】
本発明の上記目的は、開口を閉塞する栓体であって、開口に挿入される先端部及び開口の外側に配置される基端部を有する弾性材料からなる栓本体を備えており、前記栓本体は、前記基端部から前記先端部に向かって先細となる円錐台状に形成されており、前記基端部から前記先端部側に向かって伸びる孔部を備えることを特徴とする栓体により達成される。
【０００８】
また、本発明の上記目的は、開口を閉塞する栓体であって、開口に挿入される先端部及び開口の外側に配置される基端部を有する弾性材料からなる栓本体を備えており、前記栓本体は、前記基端部から前記先端部に向かって先細となる円錐台状に形成されており、前記先端部から前記基端部側に向かって伸びる孔部を備えることを特徴とする栓体により達成される。
【０００９】
このように栓本体の内部に、栓本体の基端部側から先端部側に向けて延びる孔部を設けることにより、例えば、設用機械やプレス機といった機械装置側の油圧ホース取付部の開口に栓体を挿入して設置する場合に、栓体の変形度合いを大きくすることが可能となる。つまり、開口に押し込まれて挿入される栓体において、孔部の形成領域は、孔部の内側に向けて大きく変形することが可能となり（縮径させることが可能となり）、円錐台状の栓体をより一層開口の奥深くまで挿入することが可能となり、栓体が開口から抜け出てしまうことを効果的に防止することが可能となる。
【００１０】
また、このような栓体において、前記孔部は、前記先端部側から前記基端部側に向かうに従い、拡径していることが好ましい。このような形態の孔部を備えることにより、孔部が形成されている栓本体の領域において、栓本体の外表面から孔部の内周面までにおける栓本体の肉厚の基端部側から先端部側に沿った変化比率を、略一定とすることが可能となり、栓体がより一層弾性変形しやすい状態にすることができ、栓体をより一層、開口の奥深くまで挿入することが可能となり、栓体が開口から抜け出ることをより効果的に防止することが可能となる。
【００１１】
また、前記栓本体の外表面には、ざらつき模様が形成されていることが好ましい。このようなざらつき模様を栓本体の外表面に設けることにより、開口の内面と当接する栓体の表面積が増加するため、油の影響によって栓体が滑って抜け出ることを効果的に抑制することが可能となる。
【００１２】
また、前記栓本体の外表面は、前記基端部側から前記先端部側に向かって凹凸が繰り返される波型形状を有していることが好ましい。このような波型状の凹凸を備えるように構成することによって、開口に挿入された栓体が該開口から抜け出ることを効果的に抑制することができる。
【００１３】
また、前記栓本体は、前記基端部から前記先端部に向かって段階的に縮径して構成されることが好ましい。このような構成を採用することによっても、開口に挿入された栓体が該開口から抜け出ることを効果的に抑制することができる。
【００１４】
また、前記孔部の内周面は、前記基端部側から前記先端部側に向かって凹凸が繰り返される波型形状を有していることが好ましい。このような波型形状の凹凸を孔部の内周面に形成することにより、栓体を開口に差し込む際に孔部形成領域に生じる変形度合いの違いを手指で感じることが容易となり、栓体の最適な挿入位置を認識しやすくなる。
【００１５】
また、前記栓本体の前記基端部は、手指をひっかける操作用の鍔部を備えており、前記鍔部は、前記基端部から前記先端部に向かう方向に対して直交する方向に突出して形成されていることが好ましい。このような鍔部を備えることにより、例えば、人差し指と中指とを鍔部に引っかけつつ人差し指と中指との間で栓本体を挟みながら、機械装置側の油圧ホース取付部における開口に栓体を挿入し、親指で栓本体の基端を押し込んで栓体を奥深くにまで押し込むことができるため、栓体が簡単に開口から抜け出ることを効果的に防止することができる。また、開口から栓体を取り外す際には、人差し指と中指との間で栓本体を挟みながら、人差し指と中指とで鍔部を引っかけ、栓体を引き抜くことができるため、開口の奥深くまで挿入された栓体を簡単に取り外すことが可能となる。
【発明の効果】
【００１６】
本発明によれば、開口に挿入された状態を効果的に維持することができる栓体を提供することができる。
【図面の簡単な説明】
【００１７】
【図１】本発明に係る栓体の概略構成断面図である。
【図２】図１の矢視Ａ方向から見た概略構成平面図である。
【図３】本発明に係る栓体の変形例を示す概略構成断面図である。
【図４】本発明に係る栓体の変形例を示す概略構成断面図である。
【図５】本発明に係る栓体の変形例を示す概略構成側面図である。
【図６】本発明に係る栓体の変形例を示す概略構成断面図である。
【図７】本発明に係る栓体の変形例を示す概略構成断面図である。
【図８】本発明に係る栓体の変形例を示す概略構成断面図である。
【図９】本発明に係る栓体の変形例を示す概略構成断面図である。
【図１０】従来の栓体を示す概略構成断面図である。
【発明を実施するための形態】
【００１８】
以下、本発明に係る栓体について、添付図面を参照して説明する。なお、各図は、構成の理解を容易ならしめるために部分的に拡大・縮小している。図１は、本発明に係る栓体１の概略構成断面図であり、図２は、図１の矢視Ａ方向から見た概略構成平面図である。本発明に係る栓体１は、ホースや配管の端部開口や、ホースや配管が設置される壁や機械装置における開口に差し込んで閉塞するための栓部材である。特に、油や化学薬品類の漏れを防ぐために、また、ホース等の交換の際に異物混入を防止するために好適に用いられる栓部材である。この栓体１は、図１及び図２に示すように、栓本体２と、当該栓本体２に形成される孔部３とを備えている。
【００１９】
栓本体２は、開口に挿入される先端部２１及び開口の外側に配置される基端部２２を有する弾性材料から形成されており、基端部２２から先端部２１に向かって先細となる円錐台状に形成されている。この栓本体２は、例えば、天然ゴムや、合成ゴム等種々のゴム系材料から形成することができる。合成ゴムとしては、例えば、ＥＰＤＭ（エチレンプロピレンゴム）、ＣＲ（クロロプレンゴム）、ＣＳＭ（クロロスルホン化ポリエチレン）、ＳＢＲ（スチレンブタジエンラバー）、ＮＢＲ（アクリロニトリルブタジエンゴム）、シリコーンゴム等を例示することができる。また、例えば、オレフィン系、塩素系、スチレン系等の熱可塑性エラストマーといった熱可塑性樹脂を用いて栓本体２を形成してもよい。
【００２０】
この栓本体２の基端部２２は、手指をひっかける操作用の鍔部４を備えている。この鍔部４は、栓本体２の基端部２２から先端部２１に向かう方向に対して直交する方向に突出して形成されている。また、図２の概略平面図に示すように、鍔部４は、栓本体２の基端部２２を挟んだ両側に突出するように設けられている。この鍔部４の周縁形状は、図２に示すように、平面視において、楕円形となるように構成することが好ましい。このように楕円形とすることにより、機械装置上やテーブル上に栓体１を横向き（図１に示す栓体１を９０°回転させた状態）で載置した際に、栓体１が転がってしまうことを効果的に防止することが可能となる。
【００２１】
孔部３は、栓本体２の基端部２２から先端部２１側に向かって伸びるように形成されている。この孔部３は、栓本体２の基端部２２の中央部に開口部を有するように形成されている、孔部３は、栓本体２の基端部２２から先端部２１に向けて貫通しないように形成されており、その長さは、栓本体２の基端部２２から先端部２１までの長さに対して、３０％以上９０％以下の範囲となるように形成することが好ましい。このような長さ寸法に設定することにより、所望の漏れ防止効果を得つつ、予期せず孔部３が貫通してしまうことを効果的に防止することができる。
【００２２】
このような構成の栓体１は、例えば、人差し指と中指とを鍔部４に引っかけつつ人差し指と中指との間で栓本体２を挟みながら、例えば、設用機械やプレス機といった機械装置側の油圧ホース取付部等における開口に栓体１の先端を挿入し、親指で栓本体２の基端を押し込んで栓体１を奥深くにまで押し込んで、又は、栓体１をひねりながら奥深くまで押し込んで、設置される。
【００２３】
本発明にかかる上記栓体１は、栓本体２の内部に、栓本体２の基端部２２から先端部２１側に向けて延びる孔部３を設けるように構成されているため、機械装置側の油圧ホース取付部等の開口に栓体１を挿入して設置する場合に、栓体１の変形度合いを大きくすることが可能となる。つまり、開口に押し込まれて挿入される栓体１において、孔部３が形成されている領域は、孔部３の内側に向けて大きく変形することが可能となり（縮径させることが可能となり）、円錐台状の栓体１をより一層開口の奥深くまで挿入することが可能となる。この結果、栓体１が開口から自然に抜け出てしまうことを効果的に防止することが可能となる。
【００２４】
また、栓体１の基端部２２側には、手指をひっかける操作用の鍔部４が設けられているため、栓体１を開口の奥深くまで差し込みやすく、栓体１が簡単に開口から抜け出ることを効果的に防止することができる。また、開口から栓体１を取り外す際には、人差し指と中指との間で栓本体２を挟みながら、人差し指と中指とで鍔部４を引っかけ、栓体１を引き抜くという簡単な動作で開口の奥深くまで挿入された栓体１を簡単に取り外すことが可能となる。
【００２５】
また、上記栓体１は、栓本体２の基端部２２から先端部２１側に向けて延びる孔部３を設けるように構成しているため、栓体１を手指によって開口に押し込んだ後、孔部３の直径よりも僅かに小さい直径を有する棒状部材を孔部３に差し込んで、栓体１を押し込むことにより、より一層、開口の奥深くに栓体１を挿入することが可能となる。
【００２６】
また、例えば、機械装置等の開口が斜め下側を向いていたり、鉛直下向きであり、栓体１を斜め上方に向けて開口に差し込む、あるいは、鉛直上向きに差し込む必要があるような場合であっても、栓体１を開口の奥深くまで差し込む込むことができることに加えて、孔部３を備えることにより栓体１自体の軽量化を図ることが可能となる結果、栓体１が開口から簡単に抜け出てしまうことをより一層効果的に抑制することが可能となる。
【００２７】
以上、本発明に係る栓体１について説明したが、具体的構成は、上記実施形態に限定されない。例えば、図３の概略構成断面図に示すように、栓本体２の先端部２１側における孔部３の端部に、プラスチック製又は金属製、或いは、木製等の平板状部材５を設けるように構成してもよい。このような平板状部材５を孔部３の先端部２１側端部に配置することにより、上記棒状部材で栓体１を開口の奥深くまで押し込む際に、棒状部材によって孔部３が栓本体２の先端部２１側に貫通することを効果的に防止することができる。
【００２８】
また、上記実施形態において、栓体１に形成される孔部３は、所定の直径を有する凹みとして形成されているが、図４の概略構成断面図に示すように、栓本体２の先端部２１側から基端部２２側に向かうに従い、拡径する凹みとして形成してもよい。このような形態の孔部３を備えることにより、孔部３が形成されている栓本体２の高さ方向領域において、栓本体２の外表面から孔部３の内周面までにおける栓本体２の肉厚の基端部２２側から先端部２１側に沿った変化比率を、略一定とすることが可能となり、栓体１をより一層弾性変形しやすい状態にすることができ、栓体１をより一層、開口の奥深くまで挿入することが可能となる。この結果、栓体１が開口から自然と抜け出ることをより効果的に防止することが可能となる。なお、栓本体２の先端部２１側から基端部２２側に向かうに従い拡径する凹みとして形成される孔部３の内面形状は、円錐台状の栓本体２の外面形状と相似形とすることが好ましい。
【００２９】
また、図５の概略構成側面図に示すように、栓本体２のテーパ面２３（外表面）に、ざらつき模様６を形成するようにして構成してもよい。このようなざらつき模様６を栓本体２の外表面に設けることにより、開口の内面と当接する栓体１の表面積が増加するため、油の影響によって栓体１が滑って抜け出ることを効果的に抑制することが可能となる。なお、栓本体２の外表面に形成されるざらつき模様６は、種々の方法によって形成することができる。例えば、ブラスト処理によって、栓本体２の外表面に微細な凹凸を複数形成することにより、ざらつき模様６を形成することができる。
【００３０】
また、図６概略構成断面図に示すように、栓本体２のテーパ面２３（外表面）が、栓本体２の基端部２２側から先端部２１側に向かって凹凸が繰り返される波型形状を有するように構成してもよい。このような波型状の凹凸を備えるように構成することによって、開口に挿入された栓体１が該開口から抜け出ることを効果的に抑制することができる。
【００３１】
また、図７の概略構成断面図に示すように、栓本体２は、基端部２２から先端部２１に向かって段階的に縮径するように構成してもよい。このような構成を採用することによっても、開口に挿入された栓体１が該開口から抜け出ることを効果的に抑制することができる。
【００３２】
また、図８の概略構成断面図に示すように、栓体１に形成される孔部３の内周面が、栓本体２の基端部２２側から先端部２１側に向かって凹凸が繰り返される波型形状を有するように構成してもよい。このような波型形状の凹凸を孔部３の内周面に形成することにより、栓体１を開口に差し込む際に孔部３形成領域に生じる変形度合いの違いを手指で感じることが容易となり、栓体１の最適な挿入位置を認識しやすくなる。
【００３３】
また、上記実施形態においては、図１に示すように、孔部３は、栓本体２の基端部２２から先端部２１側に向かって伸びるように構成されているが、このような構成に特に限定されない。例えば、図９の概略構成断面図に示すように、栓本体２の先端部２１から基端部２２側に向かって伸びる孔部３を備えるようにして、栓体１を構成してもよい。このような構成であっても、開口に押し込まれて挿入される栓体１において、孔部３の内側に向けて大きく変形させることが可能となり（縮径させることが可能となり）、円錐台状の栓体１をより一層開口の奥深くまで挿入することが可能となり、栓体１が開口から抜け出てしまうことを効果的に防止することが可能となる。
【００３４】
また、上記実施形態においては、図１や図２に示すように、鍔部４を設けるようにして栓体１を構成しているが、この鍔部４を省略してもよい。
【符号の説明】
【００３５】
１  栓体
２  栓本体
２１  先端部
２２  基端部
２３  テーパ面
３  孔部
４  鍔部
５  平板状部材
６  ざらつき模様
【図１】
2017203484.tif 000003
【図２】
2017203484.tif 000004
【図３】
2017203484.tif 000005
【図４】
2017203484.tif 000006
【図５】
2017203484.tif 000007
【図６】
2017203484.tif 000008
【図７】
2017203484.tif 000009
【図８】
2017203484.tif 000010
【図９】
2017203484.tif 000011
【図１０】
2017203484.tif 000012